(57)【要約】      （修正有）【課題】よりリアルなサラウンド効果を感じることができる、サラウンドヘッドフォンを提供する。【解決手段】少なくとも１個の耳フレームと、複数の発声平面９とを含む。サラウンドヘッドフォンは、耳フレームに設置する複数の該発声平面を利用し、しかも該各発声平面の設置により、その上に設置する複数の発声振動膜７が発する音声方向は使用者の耳において交差する。それによって、使用者は、リアルなサラウンド効果を感じることができる。【選択図】図２
0003143324.tif 000002
【実用新案登録請求の範囲】
【請求項１】
サラウンドヘッドフォンは、少なくとも１個の耳フレームと、複数の発声平面とを含み、
前記少なくとも１個の耳フレームは、使用者の耳に装着可能であり、
前記複数の発声平面は、それぞれ前記使用者の耳方向に向けて音声を発し、該各発声平面は前記耳フレームに設置され、しかも該各発声平面の設置により、該各発声平面が発する音声方向は該使用者の耳において交差し、
前記各発声平面は、少なくとも１個の発声振動膜を含み、音声を発することを特徴とするサラウンドヘッドフォン。
【請求項２】
前記サラウンドヘッドフォンは、各方位からのサラウンドオーディオトラック信号を受け取り、前記各発声平面により再生することを特徴とする請求項１記載のサラウンドヘッドフォン。
【考案の詳細な説明】
【技術分野】
【０００１】
本考案はサラウンドヘッドフォンに関する。特に耳フレーム上に設置する発声平面の複数の発声振動膜を利用し、それが発する音声方向が使用者の耳において交差するサラウンドヘッドフォンに係る。
【背景技術】
【０００２】
ヘッドフォンは日常生活において使用率が極めて高い製品の一つである。
しかし、公知のヘッドフォンの発声振動膜は、何個あろうとすべて共通の平面上に設置されている。
公知のヘッドフォンの耳フレーム1の俯瞰図である図１に示すように、それは２個又はそれ以上の発声振動膜2を備え、それはそれぞれ前方からの音又は後方からの音をシミュレートすることができる。しかし、その発声振動膜2の発声方向は平行であるため、それが生成するサラウンド効果には誤差があり、音質を重視する使用者にとっては、公知のヘッドフォンはリアルさを追及するには不足である。
よって、耳フレーム上に設置する発声平面の複数の発声振動膜を利用し、それが発する音声方向は使用者の耳において交差し、それによって使用者がリアルなサラウンド効果を感じることができるようにするサラウンドヘッドフォンを開発することが求められる。
【考案の開示】
【考案が解決しようとする課題】
【０００３】
上記公知の欠点に対して本考案人は改善を志し、研究による克服を目指し、当産業における長年にわたる経験を生かし、サラウンドヘッドフォンの開発に成功した。それは耳フレーム上に設置する発声平面の複数の発声振動膜を利用し、それが発する音声方向が使用者の耳において交差し、それによって使用者はリアルなサラウンド効果を感じることができる。
本考案が解決しようとする課題は、耳フレーム上に設置する発声平面の複数の発声振動膜を利用し、それが発する音声方向が使用者の耳において交差し、それによって使用者はリアルな立体音声効果を感じることができるサラウンドヘッドフォンを提供することである。
【課題を解決するための手段】
【０００４】
上記課題を解決するため、本考案は下記のサラウンドヘッドフォンを提供する。
サラウンドヘッドフォンは、少なくとも１個の耳フレームと、複数の発声平面とを含み、少なくとも１個の耳フレームは、使用者の耳に装着可能であり、複数の発声平面は、それぞれ使用者の耳方向に向けて音声を発し、各発声平面は耳フレームに設置され、しかも各発声平面の設置により、各発声平面が発する音声方向は使用者の耳において交差し、各発声平面は、少なくとも１個の発声振動膜を含み、音声を発し、これにより、耳フレーム上に設置する発声平面の複数の発声振動膜を利用し、それが発する音声方向は使用者の耳において交差し、それによって使用者はリアルなサラウンド効果を感じることができる。
【考案の効果】
【０００５】
上記のように、本考案は耳フレーム上に設置する発声平面の複数の発声振動膜を利用し、それが発する音声方向が使用者の耳において交差し、それによって使用者はリアルなサラウンド効果を感じることができる。
【考案を実施するための最良の形態】
【０００６】
本考案の目的、特徴、機能と効果を説明するため、実施形態を図と共に、以下に詳述する。
図２は本考案の好適な第一実施形態のサラウンドヘッドフォン断面図である。図２に示すように、立体音声ヘッドフォン3は少なくとも１個の耳フレーム4、複数の発声平面9を含む。
少なくとも１個の耳フレーム4（本実施形態では左右各一個）は使用者5の耳6を包み込み、しかも使用者5の耳6に装着することができる。
複数の発声平面9はそれぞれ使用者5の耳6方向に向けて音声を発し、各発声平面9は耳フレーム4に設置される。しかも各発声平面9の設置により、各発声平面9が発する音声方向は使用者5の耳6において交差する。各発声平面9は少なくとも１個の発声振動膜7を含み、音声を発する。
立体音声ヘッドフォン3はさらに信号入力装置8を含む。
信号入力装置8は音声信号を立体音声ヘッドフォン3に入力する。本第一実施形態の信号入力装置8は無線信号入力装置であるが、有線信号入力装置とすることもできる。
同時に本考案のサラウンドヘッドフォン3はさらに電池及び音声制御装置（図示なし）などの電源装置（図示なし）を含み、サラウンドヘッドフォン3が必要な電源を供給し、サラウンドヘッドフォン3の音質又は音量を調整する。別に、本考案のサラウンドヘッドフォンは各方位からのサラウンドオーディオトラック信号を受け取ることができ、各発声平面9により再生する。
【０００７】
図３は本考案の好適な第二実施形態のサラウンドヘッドフォン断面図である。図３に示すように、その耳フレーム4の形状は前記第二実施形態と異なるが、発声振動膜7の配置により、それが発する音声方向はやはり使用者5の耳6において交差する。
図４は本考案の好適な第三実施形態のサラウンドヘッドフォン断面図である。図４に示すように、その耳フレーム4の形状は弧状であるが、前記の実施形態同様、その発声振動膜7の配置により、それが発する音声方向はやはり使用者5の耳6において交差する。
図５は本考案の好適な第四実施形態のサラウンドヘッドフォン断面図である。図５に示すように、前記の実施形態に類似し、発声振動膜7の配置により、それが発する音声方向はやはり使用者5の耳6において交差する。
上記のように、本考案は耳フレーム上に設置する発声平面の複数の発声振動膜を利用し、それが発する音声方向が使用者の耳において交差し、それによって使用者はリアルなサラウンド効果を感じることができる。本考案から派生する製品は現在の市場ニーズを満たすことができるため、本考案は産業上の利用価値を備える。
【図面の簡単な説明】
【０００８】
【図１】公知ヘッドフォンの耳フレーム俯瞰図である。
【図２】本考案の好適な第一実施形態のサラウンドヘッドフォン断面図である。
【図３】本考案の好適な第二実施形態のサラウンドヘッドフォン断面図である。
【図４】本考案の好適な第三実施形態のサラウンドヘッドフォン断面図である。
【図５】本考案の好適な第四実施形態のサラウンドヘッドフォン断面図である。
【符号の説明】
【０００９】
1  耳フレーム
2  発声振動膜
3  立体音声ヘッドフォン
4  耳フレーム
5  使用者
6  耳
7  発声振動膜
8  信号入力装置
9  発声平面
【図１】
0003143324.tif 000003
【図２】
0003143324.tif 000004
【図３】
0003143324.tif 000005
【図４】
0003143324.tif 000006
【図５】
0003143324.tif 000007